(57)【特許請求の範囲】
【請求項１】
２つの半分のシェル２、３と、それぞれがそれぞれの第１の端上に締め付け頭４、５を、それぞれの第２の端７、８上に接続形状９、１０を有し、
前記締め付け頭４、５が接続される締め付け要素６と、
前記締め付け頭４、５もしくはその付近に配置され、前記２つの半分のシェル２、３双方の内側を支えるため予荷重が加えられたバネ要素１１と、
を備え、
前記２つの半分のシェル２、３の少なくとも１つは前記締め付け要素６に関して傾き、前記バネ要素１１は前記第２の端７、８を開くように作用する、プロファイルドクランプ１。
【請求項２】
バネ要素１１が前記締め付け要素６上に保持される請求項１に記載のプロファイルドクランプ１。
【請求項３】
前記バネ要素１１は、少なくとも２つの開口を有する半径方向外側に向いた少なくとも１つの形状１６を有し、前記締め付け要素６が前記少なくとも２つの開口を通っている請求項１に記載のプロファイルドクランプ１。
【請求項４】
前記形状１６は前記バネ要素１１の２つの脚の間の中心に形成される請求項３に記載のプロファイルドクランプ１。
【請求項５】
前記バネ要素１１は前記締め付け要素６より長い請求項１に記載のプロファイルドクランプ１。
【請求項６】
前記締め付け要素６は締め付けねじを備える請求項１に記載のプロファイルドクランプ１。
【請求項７】
前記締め付け頭４、５の１つは形成されたねじまたはねじ式ナットの１つを備える請求項６に記載のプロファイルドクランプ１。
【請求項８】
スロットが前記締め付け頭４、５の１つの中に形成される請求項１に記載のプロファイルドクランプ１。
【請求項９】
前記接続形状９、１０は前記２つの半分のシェル２、３の１つに形成されたホック９と前記２つの半分のシェル２、３の他に形成された凹部を備える請求項１に記載のプロファイルドクランプ１。
【請求項１０】
前記ホック９は半径方向外側に曲がったつまみによって形成される請求項９に記載のプロファイルドクランプ１。
【請求項１１】
前記つまみは１つの半分のシェル２とひとつなぎで実装される請求項１０に記載のプロファイルドクランプ１。
【請求項１２】
前記２つの半分のシェル２、３の中に形成された切り取りをさらに備える請求項１に記載のプロファイルドクランプ１。
【請求項１３】
第１の締め付け半分のシェル２と、
第２の締め付け半分のシェル３と、
前記第１と第２の締め付け半分のシェル２、３のそれぞれ第１の端を接続するために構成され配置された締め付け要素６と、
前記締め付け要素６の反対側で前記第１と第２の締め付け半分のシェル２、３の端７、８上に配置されたシェル連結器と、
前記締め付け要素６とともに前記第１と第２の締め付け半分のシェル２、３の端上に配置されたバネ要素１１と、
を備え、
前記第１と第２の締め付け半分のシェル２、３の少なくとも１つは前記締め付け要素６について回転可能であるプロファイルドクランプ１。
【請求項１４】
前記バネ要素１１は少なくとも１つの半径方向外側に向いた形状１６を備える請求項１３に記載のプロファイルドクランプ１。
【請求項１５】
前記バネ要素１１は半径方向外側に向いた複数の形状１６を備える請求項１３に記載のプロファイルドクランプ１。
【請求項１６】
前記バネ要素１１は、前記第１と第２の締め付け半分のシェル２、３の内側を支えるため予荷重が加えられる請求項１３に記載のプロファイルドクランプ１。
【発明の詳細な説明】
【技術分野】
【０００１】
本発明は、それぞれ第１の端上に締め付け頭とそれぞれ第２の端上に第２の端を接続するための接続形状を有する２つの半分のシェルを有するプロファイルドクランプに関する。締め付け頭は締め付け要素に接続され、少なくとも１つの半分のシェルは締め付け要素に関して傾くことができる。
【背景技術】
【０００２】
上記で記載された型のプロファイルドクランプは、例えば特許文献１で知られている。締め付け要素は締め付けねじとして実装または形成される。これは締め付け頭の開口を通し、遊びで導かれ半分のシェルの両方が締め付けねじに関して傾くことができる。このようにして、事前に組み立てられた、つまり、締め付けねじが既に組み立てられたプロファイルドクランプを接続フランジに取り付けることが可能になる。接続される線のフランジ上にプロファイルドクランプの配置の後に、半分のシェルはこれらの接続形状を介してお互いに接続され、続いて、締め付け要素が締め付けられ、プロファイルドクランプの直径が減少し、これによって締め付けられる。特許文献１の開示は参照として、ここで完全に明示的に組み込まれる。
【０００３】
プロファイルドクランプは、通例、プロファイルドクランプによって取り囲まれるこれらの端に接続フランジを有する線を接続するために使用される。この目的のため、プロファイルドクランプは一般にＶ字型のプロファイルを有する。プロファイルドクランプの締め付けの間、半径方向の力がフランジに働くだけでなく、軸方向に向いた力が一緒に線のフランジを押す。
【先行技術文献】
【特許文献】
【０００４】
【特許文献１】独国特許１９８  ８２  ２３４Ｔ１号公報
【発明の概要】
【発明が解決しようとする課題】
【０００５】
しかしながら、２つの半分のシェルを有する知られたプロファイルドクランプの配置は比較的難しい。半分のシェルがお互いに接続されない時、お互いに対するおよび締め付け要素に対する半分のシェルの位置は定まらない。正確な整列のため、半分のシェルをお互いに接続可能とするため、両方の半分のシェルを位置づけすることが必要となる。窮屈な空間条件下で、これらのプロファイルドクランプの配置は従って困難になる。
【課題を解決するための手段】
【０００６】
本発明の実施形態は、簡単に特に片手で置くことが可能なプロファイルドクランプに向いている。
【０００７】
この結果、実施形態は、事前負荷の下で半分のシェルの内側を支えるバネ要素を有する冒頭に言及された型のプロファイルドクランプに向いている。
【０００８】
このバネ要素は現在、半分のシェルがこれらの第２の端でお互いに離れて押されることを確実にする。従い、２つの半分のシェルは、お互いに最も大きい可能な開口角度で傾く。開口角度は締め付け頭の中の締め付け要素の支えによって事前に決定される。これによりバネ要素は開口角度だけでなく、軸方向の半分のシェルの位置も安定させる。第２の端の接続形状は同じ軸位置で保持され、２つの半分のシェルをお互いに単に押すことによって、第２の端の接続形状が一緒に連れてこられる。同時にバネ要素は十分な弾性を提供し、半分のシェルの傾きだけでなく、お互いに対する回転も可能にし、比較的簡単なプロファイルドクランプの配置が起こる。従い、バネ要素は、プロファイルドクランプの開いた状態での半分のシェルの一定の位置を確実にし、片手での操作を可能な状態にする。
【０００９】
好ましくは、バネ要素は締め付け要素上で保持される。これはバネ要素が周辺方向に滑ることを妨げる。同時に半分のシェルの内側上のバネ要素の支えは比較的簡単に確保される。
【００１０】
好ましくは、バネ要素は、締め付け要素が伸びる少なくとも２つの開口を有する半径方向外側に向いた少なくとも１つの形状を有する。この形状は、例えばＶ字型またはＭ字型である。しかしながら、他の実施形態も、締め付け要素上の確実な保持が実現される限り、考えられる。バネ要素は締め付け要素に正に取り付けられる。これによって、形状は締め付け頭間に置かれる。開口はこれによって、締め付け要素と形状間の相対運動が可能になるほど大きい。締め付け要素の締め付けの間、締め付け頭はお互いに向かって動くため、形状の変形も起こり、これは開口と締め付け要素の間の遊びが原因で簡単に可能になる。開いた状態で、形状の１つの側は、最初から締め付け頭の１つを支えることも可能になる。
【００１１】
好ましくは、形状は、バネバンドの２つの脚の間の中心に実装または形成される。バネ要素は半分のシェルの両方から等しく離れて伸び、一様な力の分布が発生する。バネ要素が組み立てられる整列が無関係であるため、最初の組み立ては簡単化される。
【００１２】
好ましくは、バネ要素は締め付け要素より長い。締め付け要素が組み立てられるとすぐに、つまり２つの締め付け頭がお互いに接続されると、バネ要素も半分のシェルの内側を支える。バネ要素は締め付け要素より長いため、バネ要素の１つの端が締め付け要素によって橋渡しされた締め付け頭間の隙間の中に滑ることが不可能になる。操作の安全性は従って高い。
【００１３】
好ましくは、締め付け要素は締め付けねじとして実装または形成される。これは、従来の道具で動かすことができる比較的よく利用された締め付け要素の実施形態を表す。比較的高い締め付け力がこれにより生成される。
【００１４】
ねじが締め付け頭の１つを保持するねじ式ナットとして実装または形成されることは特に効果がある。もし、ねじ式ナットが使用された場合、ねじ頭の中のねじの実施形態は当然に不要となる。ねじ式ナットは特に正の手法で締め付け頭の中に保持される。締め付けねじは道具で締められ、従いプロファイルドクランプの締め付けが、はめ合いねじまたはねじ式ナットを保持するために必要な追加の道具なしに、引き起こされる。従い、片手での操作が可能になる。
【００１５】
好ましくは、スロットは締め付け頭の１つの中に実装または形成される。お互いに関して半分のシェルの比較的大きい傾きがこれによって可能になり、大きい開口角度が、締め付け要素が比較的きつく他の半分のシェルの締め付け頭に保持されるときでさえ、実現される。つまり１つの半分のシェルの傾きのみが起こる。これによって、スロットの製造が低い費用と結びつけられる。
【００１６】
好ましくは、半分のシェルの１つの中に接続形状はホックとして、他の半分のシェル中に凹部として実装または形成される。この型の実施形態は比較的簡単に可能である。この手法で、ホックは比較的容易に凹部の中に挿入されることができ、半分のシェルのホック留めと確実な接続が起こる。比較的大きい力がホックを通して移動されることができる。これにより、ホック留めが半径方向に単純に一緒に押すことによって起こる。特に、凹部に対するホックの軸方向の整列がバネ要素によって事前に決定される。
【００１７】
ホックが特に半径方向外側に曲がったつまみとして実装されることは特に効果的である。このつまみは特に半分のシェルとひとつなぎに実装または形成される。従って、ホックは追加の要素を意味しなく、半分のシェルの１つとひとつなぎに実装または形成される。これによって、ホックの製造は非常にコスト効果がある。同時に、ひとつなぎの実装により比較的高い力の移動が確実にされる。
【００１８】
本発明の実施形態は２つの半分のシェルを含み、それぞれがそれぞれの第１の端上に締め付け頭を、それぞれの第２の端上に接続形状を有するプロファイルドクランプに向いている。プロファイルドクランプは締め付け要素を含み、締め付け頭はここに接続され、バネ要素は半分のシェルの内側を支えるため事前に負荷が加えられる。２つの半分のシェルの少なくとも１つは締め付け要素に関して傾くことが可能である。
【００１９】
本発明の実施形態によれば、バネ要素は締め付け要素上に保持されることができる。
【００２０】
実施形態で、バネ要素は、少なくとも２つの開口を有する半径方向外側に向いた少なくとも１つの形状を有する。締め付け要素がこれを通して伸びる。形状はバネ要素の２つの脚の間の中心に形成されることができる。
【００２１】
本発明の実施形態によれば、バネ要素は締め付け要素より長くても良い。
【００２２】
実施形態によれば、締め付け要素は締め付けねじを含むことができる。締め付け頭の１つは形成されたねじまたはねじ式ナットの１つを含んでも良い。
【００２３】
他の実施形態によれば、スロットは締め付け頭の１つの中に形成される。
【００２４】
さらに、接続形状は２つの半分のシェルの１つに形成されたホックと２つの半分のシェルの他に形成された凹部を含むことができる。ホックは半径方向外側に曲がったつまみによって形成されても良い。つまみは１つの半分のシェルとひとつなぎで実装されても良い。
【００２５】
さらなる実施形態によれば、切り取りは２つの半分のシェルの中に形成されても良い。
【００２６】
本発明の実施形態は、第１の締め付け半分のシェル、第２の締め付け半分のシェル、および第１と第２の締め付け半分のシェルのそれぞれ第１の端を接続するために構成され配置された締め付け要素を含むプロファイルドクランプに向いている。シェル連結器は、締め付け要素の反対側で第１と第２の締め付け半分のシェルの端に配置され、バネ要素は締め付け要素とともに第１と第２の締め付け半分のシェルの端に配置される。第１と第２の締め付け半分のシェルの少なくとも１つは締め付け要素について回転可能である。
【００２７】
実施形態によれば、バネ要素は少なくとも１つの半径方向外側に向いた形状を含むことができる。
【００２８】
さらに、バネ要素は、半径方向外側に向いた複数の形状を含むことができる。
【００２９】
本発明のさらなる他の実施形態によれば、バネ要素は、第１と第２の締め付け半分のシェルの内側を支えるため事前に負荷が加えられる。
【００３０】
他の例示的実施形態と本発明の効果は、本開示と添付の図によって確かめられる。
【００３１】
本発明は、本発明の例示的実施形態の非制限例により、複数の図を参照することによって、以下の詳細な記述により記載される。図の中のいくつかを通して同じ参照番号は同じ部分を表す。
【図面の簡単な説明】
【００３２】
【図１】図形表示で、開いた状態のプロファイルドクランプを示す。
【図２】図１によるプロファイルドクランプの断面図を示す。
【図３】閉じて、締め付けない状態のプロファイルドクランプを示す。
【図４】閉じて、締め付けた状態のプロファイルドクランプを示す。
【図５】側面図による第１の例示的実施形態のバネ要素を示す。
【図６】第２の例示的実施形態のバネ要素を示す。
【発明を実施するための形態】
【００３３】
ここで、詳細は例示の方法で示され、本発明の実施形態の図示的議論の目的のためのみに、本発明の原理と概念的な面をすぐに理解でき、最も効果的と信じられることを提供するために表される。このことについて、本発明の基本的理解のために必要なもの以上に、本発明のいくつかの形状が実際にどのように実装され、形成されるかを当業者に明らかにさせる、図を伴った記載以上に、本発明の構造的詳細を開示することを意図していない。
【００３４】
図１は２つの半分のシェル２、３を有するプロファイルドクランプ１を示す。プロファイルドクランプ１は従い、２つの部分の手法で実装または形成される。半分のシェル２、３は、それぞれ締め付け要素６が保持される締め付け頭４、５を第１の端上に有する。第２の端７、８上で半分のシェル２、３はそれぞれ接続形状９、１０を有する。
【００３５】
バネ要素１１は、プロファイルドクランプ１の半分のシェル２、３の内側１２、１３を支えるように締め付け要素６に取り付けられる。バネ要素１１はこれによって、半分のシェル３が半分のシェル２に対して傾くように事前に負荷を加えられる。この手法で、第２の端７、８はお互いから離れて押される。プロファイルドクランプ１は従い、バネ要素１１によって開かれた位置で保持される。個々の要素、つまり半分のシェル２、３および締め付け要素６の位置はお互いに明確に定められる。
【００３６】
バネ要素１１は、板バネの形状で実装または形成される。締め付けねじが締め付け要素６として使用される。これにより、締め付け要素６はスロット１４によって貫通される。スロット１４は締め付け頭５の中に実装または形成され、ねじ山１５の中にねじ込まれる。ねじ山１５は締め付け頭４の中に実装または形成される（図２）。締め付けねじが締められたとき、または締め付け要素６が締められたとき、従って締め付け頭４、５はお互いに向かって動き、プロファイルドクランプ１の事前閉鎖の後、つまり第２の端７、８の接続の後に、プロファイルドクランプ１の締め付けが発生する。
【００３７】
この実施例の中のバネ要素１１はＶ字型の形状１６を有し、これはバネ要素１１の２つの脚１７、１８間の中心に配置される。Ｖまたは形状の両側で開口が実装または形成され、これを通して、締め付け要素６が導かれる。バネ要素１１は従って締め付け要素６に確実に取り付けられる。形状１６はこれによって締め付け頭４、５間に配置される。
【００３８】
図３は閉じた状態でのプロファイルドクランプ１を示す。プロファイルドクランプ１はフランジ１９の周りに置かれ、フランジ１９はプロファイルドクランプ１のプロファイルに伸びる。半分のシェル２、３を簡単に一緒に押すことによって、接続形状９、１０はお互いに噛み合いに連れてこられる。つまり、ホックとして実装または形成された接続形状９は形状または凹部として実装または形成された接続形状１０の中に挿入される。この手法により、半分のシェル２、３がお互いに留められる。さらに、バネ要素１１は弾性的に変形される。バネ要素１１は、半分のシェル２、３の内側１２、１３上に置かれているため、バネ要素１１は実質的に目に見えない。バネ要素１１は締め付け頭４、５間の締め付け要素６の領域でのみ目に見える。Ｖ字型の形状１６は、締め付け頭４、５の間に置かれ、特に例示的実施形態で見ることができる。
【００３９】
この状態で個々の要素はバラバラになることはもはや不可能である。しかしながら、フランジ１９内でのプロファイルドクランプ１の適合の修正は可能である。プロファイルドクランプ１は締め付け要素６の締め付けまたは締め付けねじのねじ込みまで、締め付けられなく、対応する保持力が働く。これは図４の中に示される。
【００４０】
図５は、側面図で図示的にバネ要素１１を示す。Ｖ字型形状１６は、脚１７、１８の間の中心に配置される。バネ要素１１は例えば金属薄版片によって形成され、半分のシェル２、３の湾曲よりいくらか小さい事前湾曲を有し、この結果、事前負荷が確実になる。開口２０、２１はＶ字型形状１６の中に提供され、開口を通して、締め付け要素６が導かれることができる。開口２０、２１の大きさは、締め付け要素がある遊びを有するように決められる。締め付け要素６とバネ要素１１または形状１６との間の相対運動は従って可能になる。
【００４１】
図６はバネ要素１１の第２の例示的実施形態を示す。この中で形状１６はＭ字型の手法で実装または形成される。形状１６はこれによって２つの高台１６’、１６”であるかのように形成される。形状１６を通して締め付け要素６を導くことを可能とするため、開口がＭ字型形状１６の各脚の中に、つまり、計４つの開口が必要となる。従い高台１６’は開口２０’と２１’を有し、高台１６”は開口２０”と２１”を有する。この型の実施形態で、形状１６の外部側面が締め付け頭４、５の内側を支える。クランプの開いた状態で、バネ要素１１のさらなる対称整列の結果となる。
【００４２】
形状１６の他の実施形態も同様に可能である。これによる唯一の重要な因子は、形状が締め付け頭４、５間に形状１６を、従ってクランプの内側にバネ要素１１を保持するため、締め付け要素が導かれることができる開口を有することである。
【００４３】
示されたプロファイルドクランプ１の場合、切り取り２４、２５がそれぞれ半分のシェル２、３のプロファイル壁２２、２３の中に実装または形成される。この切り取り２４、２５により、プロファイルドクランプ１はいくらか高い弾性を有し、これはより大きい許容範囲の中で使用されることができる。
【００４４】
しかしながら、切り取り２４、２５は、フランジ１９の対応する突起と適合するために使用されることもでき、従いフランジ１９に関してプロファイルドクランプ１の定まった角度位置を確実にするために使用されることもできる。
【００４５】
配達状態、つまり、事前に組み立てられた状態で、プロファイルドクランプ１は、半分のシェルの内側を押すバネ要素１１によって開かれて保持される。バネ要素はプロファイルドクランプまたはプロファイルドクランプのプロファイルの内部に横たわるため、追加の空間の要求は必要ない。締め付け要素はバネ要素の中、開口を通して導かれ、これによってプロファイルドクランプの内部にバネ要素を位置づけする。バネ要素の事前負荷によって、開いたプロファイルドクランプが最大の開いた角度を有することが確実にされる。その後、プロファイルドクランプは比較的簡単にフランジ上に置かれることができる。
【００４６】
続いて、半分のシェルは、これらの接続形状を有する第２の端がお互いに固定または留められるように一緒に押される。プロファイルドクランプは閉じられ、損失に対して安全な手法でフランジ上に保持される。これにより、バネ要素の力に対して半分のシェルを閉じることが起こり、弾性的に変形する。続いて、締め付け要素の締め付けによって、プロファイルドクランプの締め付けが最終的に起きる。
【００４７】
プロファイルドクランプの締め付け頭の内部で締め付け要素の遊びから自由な取り付けは、バネ要素によって達成される。従って、お互いに関する半分のシェルと締め付け要素の定まった位置付けが開いた状態でも与えられる。例えば、片手による非常に単純な最終組み立てが可能になる。４０Ｎより小さい組み立て力が実現される。
【００４８】
上記の例は、単に例示の目的のために提示されたものであり、本発明の制限として構成されるものではないことに注意すべきである。本発明は例示的な実施形態を参照し記載されたが、ここで用いられた言葉は、制限の言葉ではなく、記載と例示の言葉と理解すべきである。添付の請求項の範囲内で、本発明の範囲と概念から、その態様を逸脱することなく、ここで述べられたようにおよび補正によって、変形は可能である。本発明は、特定の手段、材料および形態に関して、ここで記載されたが、本発明は、ここで開示された特別なものに制限されない。むしろ、本発明は、添付された請求項の範囲内で機能的に同等な構成、方法および用途に拡張される。
【符号の説明】
【００４９】
１  プロファイルドクランプ
２、３  半分のシェル
４、５  締め付け頭
６  締め付け要素
７、８  第２の端
９、１０  接続形状
１１  バネ要素
１２、１３  内側
１４  スロット
１５  ねじ山
１６  形状
１７、１８  脚
１９  フランジ
２０、２１  開口
２２、２３  プロファイル壁
２４、２５  切り取り
【図１】
0005491600.tif 000002
【図２】
0005491600.tif 000003
【図３】
0005491600.tif 000004
【図４】
0005491600.tif 000005
【図５】
0005491600.tif 000006
【図６】
0005491600.tif 000007